(57)【要約】【課題】模倣品と真正品とを容易にしかも確実に識別して、例えば、模倣品であるバルブの流通などを未然に防止することを可能にする真贋識別機能付きバルブとバルブの真贋識別方法を提供すること。【解決手段】弁機構操作用のハンドル３自体又は前記ハンドル３の近傍位置に施したバルブのブランド名、呼び径、適用流体、開閉方向、各部品の材質、形状、量、適用温度などのバルブの特性情報部位に、バルブの真正性判別用の真贋識別体６を設けた真贋識別機能付きバルブである。【選択図】          図１
2005309015.tif 000002
【特許請求の範囲】
【請求項１】
弁機構を有するバルブ本体に弁機構操作用のハンドルを設けたバルブにおいて、前記ハンドル自体又は前記ハンドルの近傍位置に施したバルブのブランド名、呼び径、適用流体、開閉方向、各部品の材質、形状、量、適用温度などのバルブの特性情報部位にバルブの真正性判別用の真贋識別体を設けたことを特徴とする真贋識別機能付きバルブ。
【請求項２】
前記真贋識別体は、カラー、文字、記号、模様などの変化を光学的に認識するシートであり、このシートにより、模倣品と真正品とを識別可能にした請求項１に記載の真贋識別機能付きバルブ。
【請求項３】
バルブのブランド名、呼び径、適用流体、開閉方向、各部品の材質、形状、量、適用温度などを示すバルブの特性情報部と、真正性を識別するための真贋識別体を銘板に集約して配置した請求項１又は２に記載の真贋識別機能付きバルブ。
【請求項４】
バルブのブランド名、呼び径、適用流体、開閉方向、各部品の材質、形状、量、適用温度などを示すバルブの特性情報部を有した弁機構操作用のハンドルに、真正性を識別するための真贋識別体を設けた請求項１又は２に記載の真贋識別機能付きバルブ。
【請求項５】
呼び径、適用流体、開閉方向、各部品の材質、形状、量、適用温度などのバルブの仕様情報に被らない位置に、真正性を識別するための真贋識別体を設けた請求項３又は４に記載の真贋識別機能付きバルブ。
【請求項６】
前記真贋識別シートは透明又は半透明であり、このシートをバルブの特性情報部のブランド名などの上面に貼付した請求項２乃至５の何れか１項に記載の真贋識別機能付きバルブ。
【請求項７】
弁機構を有するバルブ本体のハンドル自体又はハンドルの近傍位置に施したバルブのブランド名、呼び径、適用流体、開閉方向、各部品の材質、形状、量、適用温度などを示すバルブの特性情報部位に、バルブの真正性判別用の真贋識別体を配置する配置工程と、この真贋識別体の上方に独立した携帯用判別具を配置する工程と、この携帯用判別具で前記真贋識別体を光学的に判別する判別工程とを経て、バルブの真正性を判別するようにしたことを特徴とするバルブの真贋識別方法。
【請求項８】
前記真贋識別体は、カラー、文字、記号、模様などの変化を光学的に認識するシートであり、このシートにより、模倣品と真正品とを識別可能にした請求項７に記載のバルブの真贋識別方法。
【請求項９】
前記真贋識別シートは透明又は半透明である請求項７又は８に記載のバルブの真贋識別方法。
【請求項１０】
前記携帯用判別具は判別フィルムを有する判別窓を備え、この判別窓を通して真贋識別体を視認することで、真贋識別体に施された特定のホログラムが現れ、これを視認できるようにした請求項７乃至９の何れか１項に記載のバルブの真贋識別方法。
【請求項１１】
前記携帯用判別具は判別フィルムを有する二つの判別窓を備え、この判別窓を通して真贋識別体を視認すると、一方の判別窓では透明又は半透明である真贋識別体を透して被貼付体表面が視認でき、他方の判別窓では真贋識別体に施された特定のホログラムが現れ、これを視認できるようにした請求項７乃至９の何れか１項に記載のバルブの真贋識別方法。
【発明の詳細な説明】
【技術分野】
【０００１】
本発明は、真正性を判別するための機能を備えた真贋識別機能付きバルブとその真贋識別方法に関し、詳しくは、模倣品と真正品とを容易にしかも確実に識別して、例えば、模倣品であるバルブの流通などを未然に防止することを可能にする真贋識別機能付きバルブとバルブの真贋識別方法に関する。
【背景技術】
【０００２】
ゲートバルブ、グローブバルブ、ボールバルブなどの例えば汎用バルブの模倣品被害が深刻な問題となっている。一見して真贋の区別ができない模倣品が、アジア圏をはじめとする海外市場などで多く流通している傾向にある。模倣品の流通を放置しておけば、得べかし利益の損失や収益の減少のみならず、企業への信頼を失墜させることにつながるため、企業にとって極めて深刻な問題であり、また、模倣品を購入した利用者にとっても品質の誤認が起き、その損害は少なくなく、特に、模倣品の市場への流通を阻止することは急務である。
【０００３】
真正性を識別できる媒体として、多種類の真贋識別体が開発されている。
例えば、特開平１１−１５１８７７号公報（特許文献１）には、対象物に設けられ、反射層を高分子コレステリック液晶により形成したホログラムからなる識別体に、外部光源から偏光フィルタ及び波長板を介して光を照射し、その反射光を前記波長板及び偏光フィルタを介して受光手段により受光し、又は目視して前記ホログラムに記録された画像または模様を認識することにより、前記対象物の真正性を識別することを特徴とした対象物の識別手段が開示されている。また、特許第３３９２５３９号公報（特許文献２）には、物品本体の所定部所に、単色光でのみ再生される垂直方向のみの変調成分による情報パタ−ン像が記録されたアクロマティックホログラムから成る偽造防止体を設けたことを特徴とする物品が開示されている。
【０００４】
上記のような真正性を判別できる媒体を備えたものとしては、既に、カード、証明書、商品券、有価証券をはじめ、時計、高級皮革製品、貴金属製品、宝飾品等の高級ブランド品や、電子部品、電化製品、コンピュータなどがあり、模倣品対策としての機能を発揮している。
【特許文献１】特開平１１−１５１８７７号公報
【特許文献２】特許第３３９２５３９号公報
【発明の開示】
【発明が解決しようとする課題】
【０００５】
ところが、流体の流量調整や流路の開閉操作を行うバルブ製品に関しては、バルブを構成する部品の中で、表面積の大きいボデーやボンネットなどは、その多くが鋳物や鍛造製であることから、その表面には多数の凹凸を有しており、上記のような貼り付けタイプの真贋識別体をボデーやボンネットなどに設けることは困難である。しかも、海外で模倣されるバルブ製品は、流通量が多い比較的小さいサイズ（例えば、１／４Ｂ〜２Ｂ）のゲートバルブ、グローブバルブ、ボールバルブなどの汎用品が多く、また、真贋識別体を配置できるスペースが限られる実情にある。
【０００６】
鋳物表面や鍛造表面に比して貼付可能な部位として、アルミやステンレス製のプレス部品である銘板（仕様表示プレート）が該当するが、この銘板にはバルブの呼びクラス、サイズ、適用流体、主要構成部品材質、開閉方向表示、ロットナンバーなど、バルブの仕様を示す情報が表示されており、バルブを正しく操作できるように促す機能を有するものであり、これら仕様情報を表す文字、記号、模様、図形などの上に真贋識別体を貼り付けると、特定の角度から見た場合には、真贋識別体を透して仕様情報が確認できていたものの、角度によってカラーが変化して見える真贋識別体では、仕様情報を確認することができなくなる場合がある。しかも、小さいサイズのバルブでは、銘板も小さいものとなるため（例えば、直径約２０ｍｍ）、真贋識別体が仕様情報の大半を覆うように配置されることになり、上記したように、真贋識別体を透して仕様情報が確認できない際には、バルブの誤った使用や誤操作を起こすおそれもある。
【０００７】
本発明は、上記した実情に鑑み、鋭意検討の結果開発に至ったものであり、その目的とするところは、模倣品と真正品とを容易にしかも確実に識別して、例えば、模倣品であるバルブの流通などを未然に防止することを可能にする真贋識別機能付きバルブとバルブの真贋識別方法を提供することにある。
【課題を解決するための手段】
【０００８】
上記の目的を達成するため、請求項１に係る発明は、弁機構を有するバルブ本体に弁機構操作用のハンドルを設けたバルブにおいて、前記ハンドル自体又は前記ハンドルの近傍位置に施したバルブのブランド名、呼び径、適用流体、開閉方向、各部品の材質、形状、量、適用温度などのバルブの特性情報部位にバルブの真正性判別用の真贋識別体を設けた真贋識別機能付きバルブである。
【０００９】
請求項２に係る発明は、前記真贋識別体は、カラー、文字、記号、模様などの変化を光学的に認識するシートであり、このシートにより、模倣品と真正品とを識別可能にした真贋識別機能付きバルブである。
【００１０】
請求項３に係る発明は、バルブのブランド名、呼び径、適用流体、開閉方向、各部品の材質、形状、量、適用温度などを示すバルブの特性情報部と、真正性を識別するための真贋識別体を銘板に集約して配置した真贋識別機能付きバルブである。
【００１１】
請求項４に係る発明は、バルブのブランド名、呼び径、適用流体、開閉方向、各部品の材質、形状、量、適用温度などを示すバルブの特性情報部を有した弁機構操作用のハンドルに、真正性を識別するための真贋識別体を設けた真贋識別機能付きバルブである。
【００１２】
請求項５に係る発明は、呼び径、適用流体、開閉方向、各部品の材質、形状、量、適用温度などのバルブの仕様情報に被らない位置に、真正性を識別するための真贋識別体を設けた真贋識別機能付きバルブである。
【００１３】
請求項６に係る発明は、前記真贋識別シートは透明又は半透明であり、このシートをバルブの特性情報部のブランド名などの上面に貼付した真贋識別機能付きバルブである。
【００１４】
請求項７に係る発明は、弁機構を有するバルブ本体のハンドル自体又はハンドルの近傍位置に施したバルブのブランド名、呼び径、適用流体、開閉方向、各部品の材質、形状、量、適用温度などを示すバルブの特性情報部位に、バルブの真正性判別用の真贋識別体を配置する配置工程と、この真贋識別体の上方に独立した携帯用判別具を配置する工程と、この携帯用判別具で前記真贋識別体を光学的に判別する判別工程とを経て、バルブの真正性を判別するようにしたバルブの真贋識別方法である。
【００１５】
請求項８に係る発明は、前記真贋識別体は、カラー、文字、記号、模様などの変化を光学的に認識するシートであり、このシートにより、模倣品と真正品とを識別可能にしたバルブの真贋識別方法である。
【００１６】
請求項９に係る発明は、前記真贋識別シートは透明又は半透明としたバルブの真贋識別方法である。
【００１７】
請求項１０に係る発明は、前記携帯用判別具は判別フィルムを有する判別窓を備え、この判別窓を通して真贋識別体を視認することで、真贋識別体に施された特定のホログラムが現れ、これを視認できるようにしたバルブの真贋識別方法である。
【００１８】
請求項１１に係る発明は、前記携帯用判別具は判別フィルムを有する二つの判別窓を備え、この判別窓を通して真贋識別体を視認すると、一方の判別窓では透明又は半透明である真贋識別体を透して被貼付体表面が視認でき、他方の判別窓では真贋識別体に施された特定のホログラムが現れ、これを視認できるようにしたバルブの真贋識別方法である。
【発明の効果】
【００１９】
請求項１又は２に係る発明によると、真贋識別体に表示されるカラー、文字、記号、模様などの変化を光学的に認識することで、模倣品と真正品とを容易に且つ確実に識別できる真贋識別機能付きバルブを提供することが可能となる。これにより、模倣品と疑われる部品や製品をわざわざ工場などに持ち帰ることなく、その場で真贋判定を行うことができるので、模倣品の流通などを未然に防止することができる。さらに、本発明による模倣品対策によって、模倣品による企業収益の減少を食い止めると共に、企業への信頼を確実なものとする効果を奏する。
【００２０】
請求項３又は４に係る発明によると、バルブのブランド名、呼び径、適用流体、開閉方向、各部品の材質、形状、量、適用温度などを示すバルブの特性情報部と、真正性を識別するための真贋識別体を集約して配置することで、真贋識別作業が行い易く、その配置場所を凹凸の少ない面とすることで、真贋識別体が誤って外れて紛失してしまうおそれもない。
【００２１】
請求項５に係る発明によると、バルブのブランド名、呼び径、適用流体、開閉方向、各部品の材質、形状、量、適用温度などのバルブの仕様情報に被らない位置に真贋識別体を設けることで、バルブの仕様情報が確認しずらくなるおそれがない。これにより、バルブの誤った使用や誤操作を防止することができる。
【００２２】
請求項６に係る発明によると、可視領域で通常は透明又は半透明である真贋識別体が透けて被貼付体表面に施された文字、記号、模様などが視認でき、例えば、判別フィルムを備えた判別具を通して真贋識別体を見ると、被貼付体表面に施された文字、記号、模様などが視認できなくなるといった作用を実現できる。
【００２３】
請求項７乃至１１に係る発明によると、模倣品と真正品とを容易にしかも確実に識別して、例えば、模倣品であるバルブの流通などを未然に防止することを可能にするバルブの真贋識別方法を提供することが可能になる。さらに、本発明による模倣品対策によって、模倣品による企業収益の減少を食い止めると共に、企業への信頼を確実なものとする効果を奏する。
【発明を実施するための最良の形態】
【００２４】
本発明における真贋識別機能付きバルブの一実施形態を図面に基づいて説明する。
図１は、本発明の真贋識別機能付きバルブの一例を示した斜視図である。同図に示す真贋識別機能付きバルブ１（１ａ）は、ステム２の上端部に弁機構操作用のハンドル３を装着しており、このハンドル３の上面部には、ナット４を介してアルミ製やステンレス製等からなる銘板５が配設されている。この銘板５には、バルブのブランド名のほかに、バルブの仕様表示項目として、例えば、呼び径、適用流体、開閉方向、各部品の材質、形状、量、適用温度、ロットナンバーなど、バルブの特性情報部を適宜箇所に設けている。勿論、図１に示すバルブは一例であり、あらゆる形態を有するバルブに適用可能であり、また、銘板５の形状や配設場所も実施に応じて任意である。
【００２５】
図２は、銘板の拡大平面図であり、同図に示すように、銘板５には真正性を識別するための後述する真贋識別体６を設けている。この真贋識別体６は、カラー、文字、記号、模様などの変化を光学的に認識する、本例ではシートタイプのもの（以下、真贋識別シートという）であり、模倣品と疑われる部品や製品をわざわざ工場などに持ち帰ることなく、その場で真贋判定を可能にしている。また、アルミ製やステンレス製等からなる銘板５は、その板材をプレス加工により成形しているため、表面部には凹凸が少なく、真贋識別シート６の配置位置としては好適である。更に好ましくは、光反射が生じにくい面、例えば、バルブのブランド名が記載されているような黒色塗装面に設けることで、アルミやステンレスの素地による光反射の影響を受けることなく、より正確な判別作業を行うことができる。この他、例えば、文字、記号、模様を白抜きに施して、それ以外を黒色塗装したものでもよく、この場合には、黒色塗装面の適宜位置に真贋識別シート６を設けることができる。
【００２６】
真贋識別シート６は透明なものを用いることにより、真贋識別シート６の貼り付け面に記載されているバルブの仕様表示項目を透過視認することができるが、真贋識別シート６自体を黒色などの色彩の濃いものとすることにより、貼り付け面を黒色などの色彩の濃い塗装面とするのと同様、貼り付け面の金属光沢による光反射の影響を受けることなく、正確な判別作業を行うことができる。この場合には真贋識別シート６をバルブの仕様表示項目に被ることのない位置に配置し、後述する他例においても同様である。
【００２７】
図３は、真贋識別機能付きバルブの他例を示した平面図であり、同図に示す真贋識別機能付きバルブ１（１ｂ）は、把持部位が樹脂で被覆された、本例ではステンレス製（例えば、ＳＵＳ４３０）のレバーハンドル７を装着している。図１及び図２に示す銘板５と同様に、このレバーハンドル７の把持部位には、バルブのブランド名のほかに、バルブの仕様表示項目として、例えば、呼び径、適用流体、開閉方向、各部品の材質、形状、量、適用温度、ロットナンバーなど、バルブの特性情報部が表示されており、真贋識別シート６の配置位置として、仕様表示項目に被ることのない位置、例えば、図３に示すように、バルブのブランド名が記載されているような比較的広い黒色塗装面が好ましい。この他、文字、記号、模様を白抜きに施して、それ以外を黒色塗装したものであれば、黒色塗装面の適宜位置に真贋識別シート６を設けることができる。
【００２８】
図４は、真贋識別シートを設けたレバーハンドルの他例を示した平面図であり、図１及び図３に示すバルブ（例えば、１／４Ｂ〜２Ｂ）に比べて大きいサイズ（例えば、２・１／２Ｂ〜４Ｂ）のバルブに装着される、鋳鉄品（例えば、ＦＣＤ４００）のレバーハンドル８であり、この場合の真贋識別シート６の配置位置としては、同図に示すように、バルブ本体（ステム上端部位）との固着部位に形成された凹凸の少ないフラット面９が好ましい。
【００２９】
図５は、真贋識別機能付きバルブの更に他例を示した平面図であり、同図に示す真贋識別機能付きバルブ１（１ｃ）は、ＳＰＣＣ鋼板からなるレバーハンドル１０を装着した、例えば、１／４Ｂ〜２・１／２Ｂサイズのバルブである。図３に示すレバーハンドル７と同様に、本例のレバーハンドル１０の把持部位にはバルブの特性情報が表示されており、上記したように、真贋識別シート６の配置位置として、仕様表示項目に被ることのない位置、例えば、バルブのブランド名が記載されているような比較的広い黒色塗装面が好ましく、この他、文字、記号、模様を白抜きにして、それ以外を黒色塗装したものであれば、黒色塗装面の適宜位置に真贋識別シート６を設けることができる。
【００３０】
図６は、真贋識別シートを設けた銘板の他例を示した拡大平面図であり、例えば、レバーハンドルの材質がＦＣＤ４００であって、３Ｂや４Ｂサイズのバルブなどの場合には、同図に示すように、銘板１１の余白スペースに真贋識別シート６を設けるとよい。
【００３１】
ここで、本実施形態で採用している真贋識別シートについて説明すると、反射層に高分子コレステリック液晶を設けたホログラムからなる真贋識別体の入射光及び出射光が通過する光路中に、必要に応じて入射光源側から偏光フィルタ及び波長板を順番に設け、出射光によるホログラム像を目視により、又は検出装置により確認することで、コレステリック液晶による偏光の特性とホログラムによる回折特性とを相乗的に組み合わせた識別が可能となり、更に識別性を向上させた真贋識別体である。
【００３２】
上記真贋識別体は入射光の特定波長の特定偏光成分のみを識別に用いており、可視領域で通常は透明又は半透明であり、真贋識別体が透けて被貼付体表面に施された文字、記号、模様などの視認を阻害することはないが、上述したように、貼付位置としては、仕様表示項目に被ることのない位置が好ましい。さらに、この真贋識別体は、コレステリック液晶及びホログラム形成層を接着層よりも弱くすることで、一度対象物に貼ると、剥がしたときにコレステリック液晶層又はホログラム形成層が破壊されて再使用できなくさせるので、不正も防止するという優れた特性を有する真贋識別体である。
【００３３】
勿論であるが、真贋識別シートとしては、上記したものに限定するものではなく、その他の構造や特性を有する真贋識別シートでもよく、実施に応じて任意である。例えば、図７に示す真贋識別シート１２は、カラー、文字、記号、模様などの変化を光学的に認識可能なシートであって、しかも、シートの外周縁に１つ又は複数個の切れ目１３を施すことで、真贋識別シート全体の剥離を防止する機能も備えている。
【００３４】
次に、本発明におけるバルブの真贋識別方法の一例について説明する。
本発明の真贋識別方法は、弁機構を有するバルブ本体のハンドル自体又はハンドルの近傍位置に施したバルブのブランド名、呼び径、適用流体、開閉方向、各部品の材質、形状、量、適用温度などを示すバルブの特性情報部位に、バルブの真正性判別用の真贋識別体（本例では、シートタイプ）を配置する配置工程と、この真贋識別体の上方に独立した携帯用判別具を配置する工程と、この携帯用判別具で前記真贋識別体を光学的に判別する判別工程とを経て、バルブの真正性を識別することを特徴としている。
【００３５】
上記真贋識別体の配置工程において、真贋識別体をバルブに設ける方法としては、ホットスタンプ、ヒートシール法、手貼りシールなどが挙げられるが、本例では、手貼りシールを採用している。真贋識別シート６の配置工程後に、バルブ１の組立作業に入る。防錆処理はシートを剥れにくくするため、真贋識別シート６の貼付作業を経て、バルブ１の組立作業が完了した後に行うとよい。また、限定するものではないが、真贋識別シート６の形状を楕円形状とすることで、真贋識別シート６の貼付作業が容易になると共に、この真贋識別シート自体の表面積を大きく確保でき、また、貼付作業時、配置方向を厳密に合わせる必要もない。
【００３６】
また、コレステリック液晶は、特定の波長の一方向からの円偏光のみを反射し、その他の波長の光や他方向からの円偏光はそのまま透過させる特徴を有しており、ホログラムとして、例えば、文字、記号、模様、図形などを記録しておけば、太陽光、蛍光灯などの光源から真贋識別シート６に照射した光が回折し、特定の角度から見た場合には、記録されたカラー、文字、記号、模様、図形などが変化して見える。この現象により、真贋識別シート６を設けたバルブ１の真正性を判定できる。また、コレステリック液晶層で回折する光量は少ないので、例えば、真贋識別シート６が仕様情報に被さった状態で貼り付けされたとしても、通常はほぼ透明な真贋識別シート６であり、バルブ１の仕様情報はそのまま見えるが、見る角度を変えることでホログラムのカラー、文字、記号、模様、図形などが変化するので、目視によって真正性を確認することができる。
【００３７】
さらに、他の真贋識別方法について説明する。
図８は、バルブの真正性を判別している状態を示した説明図である。図中１４はカードタイプの携帯用判別具であり、この判別具１４には判別フィルムを有する二つの判別窓１５，１６を備えている。この判別具１４を真贋識別シート６の上方に位置させて視認すると、一方の判別窓１６では透明又は半透明である真贋識別シート６を透して、例えば、文字、記号、模様などが施された被貼付体表面が視認でき、他方の判別窓１５では真贋識別シート６に施された特定のホログラム（カラー、文字、記号、模様、図形など）が現れ、これを視認できるように構成されている。
【００３８】
上記携帯用判別具１４に設けた図中左側の判別窓１５は、本例では、バンドパスフィルタ、偏光フィルタ、１／４波長板等からなり、同図に示すように、この判別具１４を太陽光、蛍光灯などの光源側に配置すると、これら自然光がバンドパスフィルタによって特定の光だけを透過させ、その後、偏光フィルタと１／４波長板で円偏光になる。これが真贋識別シート６に入って、ホログラムのコレステリック液晶が円偏光のみを反射する。次いで、１／４波長板によって、もとの直線偏光となり、偏光フィルタとバンドパスフィルタを介して出射される。その他の波長の光や他方向からの偏光は、バンドパスフィルタと偏光フィルタでカットされ、ホログラムには届かない。
【００３９】
従って、上記携帯用判別具１４を介して真贋識別シート６を視認することで、図９（ａ）に示すように、図中左側の判別窓１５には、特定波長、例えば、真贋識別体６に施された特定のホログラム（カラー、文字、記号、模様、図形など）が鮮明に見えることになるが、これに対して、図９（ｂ）に示すように、このような構造を持たない図中右側の判別窓１６では、特定のホログラムは見えないため、例えば、文字、記号、模様などが施された被貼付体表面がそのまま見えることになる。このように、真贋識別シート６と携帯用判別具１４とを組み合わせることで、対象物の真正性を容易にしかも確実に判別することができる。
【００４０】
上記携帯用判別具の形状や構造は本例に限定するものではなく、その他の判別フィルムを有する判別窓を備えたものでもよく、判別窓を通して真贋識別体６を視認することで、真贋識別体６に施された特定のホログラム（カラー、文字、記号、模様、図形など）が現れ、これを視認できる手段を有するものであればよい。
【産業上の利用可能性】
【００４１】
バタフライバルブ、ゲートバルブ、グローブバルブ、ボールバルブ、チェックバルブなどのバルブ製品・部品をはじめ、給水栓、給湯器や温水洗浄便座等の取付金具、給水管、接続管及び管継手、冷媒管、電気温水器部品（ケーシング、ガスノズル、ポンプ部品、バーナなど）、ストレーナ、水道メータ用部品、水中下水道用部品、排水プラグ、エルボ管、ベローズ、便器用接続フランジ、スピンドル、ジョイント、ヘッダー、分岐栓、ホースニップル、水栓付属金具、止水栓、給排水配水栓用品など各種の器材やその部品にも広く適用することができる。
【図面の簡単な説明】
【００４２】
【図１】本発明の真贋識別機能付きバルブの一例を示した斜視図である。
【図２】真贋識別体を設けた銘板の拡大平面図である。
【図３】真贋識別機能付きバルブの他例を示した平面図である。
【図４】真贋識別体を設けたレバーハンドルの他例を示した平面図である。
【図５】真贋識別機能付きバルブの更に他例を示した平面図である。
【図６】真贋識別体を設けた銘板の他例を示した拡大平面図である。
【図７】真贋識別体の一例を示した平面図である。
【図８】携帯用判別具を用いて真贋識別を行っている状態を示した説明図である。
【図９】携帯用判別具と真贋識別体との作用説明図である。
【符号の説明】
【００４３】
１  真贋識別機能付きバルブ
３  ハンドル
５  銘板
６  真贋識別体（真贋識別シート）
７  レバーハンドル
８  レバーハンドル
１０  レバーハンドル
１１  銘板
１２  真贋識別体（真贋識別シート）
１３  切れ目
１４  携帯用判別具
１５，１６  判別窓
【図１】
2005309015.tif 000003
【図２】
2005309015.tif 000004
【図３】
2005309015.tif 000005
【図４】
2005309015.tif 000006
【図５】
2005309015.tif 000007
【図６】
2005309015.tif 000008
【図７】
2005309015.tif 000009
【図８】
2005309015.tif 000010
【図９】
2005309015.tif 000011